(57)【要約】【課題】３相のブラシレスモータと、ウエスコポンプとを収容するユニットケースの両端部が、ウエスコポンプのポンプケースと、ブラシレスモータの端部を覆う被覆部とにかしめ係合され、被覆部を貫通する 3つの給電端子がボビンに支持される液体供給装置において、ユニットケースの軸方向長さを短縮可能とする。【解決手段】給電端子２０Ａが、ボビン１７に嵌入、固定される嵌入基板部３６と、該嵌入基板部３６からその延長方向に延出される延出板部３７と、延出板部３７に連なるとともにユニットケースから離隔する側に傾斜する傾斜板部３９と、傾斜板部３９に連なって嵌入基板部３６および延出板部３７と平行に延びる端子板部４１とを一体に有し、延出板部３７に、ボビン１７との間に第１巻線誘導凹部４２，４３を形成する一対の第１ガイド突起４４，４５が突設される。【選択図】      図３
2017163697.tif 000002
【特許請求の範囲】
【請求項１】
ステータコア（１５）にボビン（１７）を介してコイル（１６）が巻装されて成るステータ（１８）を有するとともに前記ステータ（１８）の軸方向両端部が樹脂製の第１および第２被覆部（２１，２２）で覆われる３相のブラシレスモータ（６）と、このブラシレスモータ（６）で駆動されるウエスコポンプ（５）とが、第１および第２被覆部（２１，２２）のうち第１被覆部（２１）が前記ウエスコポンプ（５）側に配置されるようにして同軸に並ぶとともに金属製のユニットケース（７）内に収容され、前記ユニットケース（７）の両端部に半径方向内方に屈曲して前記ウエスコポンプ（５）のポンプケース（１１）および第２被覆部（２２）に係合するかしめ加工部（７ｂ，７ｃ）がそれぞれ形成され、前記ボビン（１７）のうち前記ウエスコポンプ（５）とは反対側の端部に、前記ウエスコポンプ（５）から吐出される液体を吐出するための円筒状の吐出管（２２ａ）を一体に有する第２被覆部（２２）を貫通する３つの給電端子（２０Ａ，２０Ｂ，２０Ｃ）が支持され、それらの給電端子（２０Ａ〜２０Ｃ）に前記コイル（１６）が電気的に接続される液体供給装置において、前記給電端子（２０Ａ〜２０Ｃ）が、前記ブラシレスモータ（６）の軸線に沿う方向に延びて前記ボビン（１７）に嵌入、固定される嵌入基板部（３６）と、該嵌入基板部（３６）からその延長方向に延出される延出板部（３７）と、該延出板部（３７）の前記嵌入基板部（３６）とは反対側の端部に第１の屈曲部（３８）を介して連なるとともに前記ユニットケース（７）から離隔する側に傾斜する傾斜板部（３９）と、この傾斜板部（３９）の前記延出板部（３７）とは反対側の端部に第２の屈曲部（４０）を介して連なって前記嵌入基板部（３６）および前記延出板部（３７）と平行に延びるとともに前記傾斜板部（３９）とは反対側の端部が第２被覆部（２２）から外部に突出する端子板部（４１）とを一体に有し、前記延出板部（３７）の前記傾斜板部（３９）側の端部に、前記ボビン（１７）の第２被覆部（２２）側の端面との間に第１巻線誘導凹部（４２，４３）を形成する一対の第１ガイド突起（４４，４５）が突設され、前記コイル（１６）の電源線（６８，６９，７０，７１）が、一対の第１巻線誘導凹部（４２，４３）のいずれかに引っかけられて前記ブラシレスモータ（６）の半径方向で前記傾斜板部（３９）の内側に延出され、前記端子板部（４１）に電気的に接続されることを特徴とする液体供給装置。
【請求項２】
前記傾斜板部（３９）寄りで前記端子板部（４１）に、一対の第２ガイド突起（４６，４７）と、前記電源線（６８〜７１）を巻き締め可能な第２巻線誘導凹部（４８，４９）を第２ガイド突起（４６，４７）との間に形成するようにしつつ前記傾斜板部（３９）とは反対側で第２ガイド突起（４６，４７）との間に所定の間隔をあけた一対の第３ガイド突起（５０，５１）とが突設されることを特徴とする請求項１に記載の液体供給装置。
【請求項３】
第２および第３ガイド突起（４６，４７；５０，５１）の相互に対向する面のいずれかに、第２巻線誘導凹部（４８，４９）がその内奥に向かうにつれて狭まるようにした傾斜面（５２，５３）が形成されることを特徴とする請求項２に記載の液体供給装置。
【請求項４】
前記延出板部（３７）側を閉じた略Ｕ字状の切り込み部（５４）が前記傾斜板部（３９）から前記端子板部（４１）にかけて形成され、前記電源線（６８〜７１）を引っかけた状態で前記端子板部（４１）に電気的に接続するためのフック部（５５）が、前記切り込み部（５４）から前記ブラシレスモータ（６）の半径方向に沿う内方に向かって起立するようにして前記端子板部（４１）に形成されることを特徴とする請求項２または３に記載の液体供給装置。
【請求項５】
前記コイル（１６）の始端電源線（６８）が、一対の第２巻線誘導凹部（４８，４９）の一方内で前記端子板部（４１）の幅方向一側に配置される部分を始端（７３ａ）としつつ前記端子板部（４１）に１回転以上巻き付けて絡げられる始端巻き締め部（７３）と、この始端巻き締め部（７３）から前記フック部（５５）に引っかけられた上で前記端子板部（４１）の幅方向他側まで延在した状態で前記端子板部（４１）に電着される始端固着部（７４）と、前記ブラシレスモータ（６）の半径方向で前記始端固着部（７４）から前記延出板部（３７）の内方を通って前記ステータコア（１５）側に延出されるとともにその途中では前記端子板部（４１）の前記幅方向一側の第２ガイド突起（４６）および前記端子板部（４１）の前記幅方向一側縁の協働で構成される谷状部（７６）を経由する始端導出部（７５）を有することを特徴とする請求項４に記載の液体供給装置。
【請求項６】
前記コイル（１６）の終端電源線（６９）が、前記ボビン（１７）のうち第２被覆部（２２）で覆われる部分の周壁に沿うとともに前記ブラシレスモータ（６）の半径方向で前記延出板部（４１）の外側を通るように配線される終端渡り線部（７８）と、この終端渡り線部（７８）から前記一対の第１巻線誘導凹部（４２，４３）の一方に引っかけられて前記ブラシレスモータ（６）の半径方向で前記延出板部（４１）の内方に延出される終端導入部（７９）と、この終端導入部（７９）から前記ブラシレスモータ（６）の半径方向で前記傾斜板部（４１）の内側を前記フック部（５５）まで延出されるとともに該フック部（５５）に引っかけられた状態で前記端子板部（４１）に電着される終端固着部（８０）とを有することを特徴とする請求項４または５に記載の液体供給装置。
【請求項７】
前記コイル（１６）がデルタ結線方式で前記ボビンに巻装され、前記コイル（１６）の中間電源線（７０，７１）が、前記ボビン（１７）のうち第２被覆部（２２）で覆われる部分の周壁に沿って配線される中間渡り線部（８２）と、この中間渡り線部（８２）から一対の第１巻線誘導凹部（４２，４３）のいずれかに引っかけられて前記ブラシレスモータ（６）の半径方向で前記傾斜板部（３９）の内方に延出される中間導入部（８３）と、この中間導入部（８３）から前記ブラシレスモータ（６）の半径方向で前記傾斜板部（３９）の内側を前記フック部（５５）まで延出されるとともに該フック部（５５）に引っかけられた状態で前記端子板部（４１）に電着される中間固定部（８４）と、この中間固定部（８４）から一対の前記第２巻線誘導凹部（４８，４９）を経由して前記ステータコア（１５）側に延出される中間導出部（８５）とを有することを特徴とする請求項４〜６のいずれか１項に記載の液体供給装置。
【発明の詳細な説明】
【技術分野】
【０００１】
本発明は、ステータコアにボビンを介してコイルが巻装されて成るステータを有するとともに前記ステータの軸方向両端部が樹脂製の第１および第２被覆部で覆われる３相のブラシレスモータと、このブラシレスモータで駆動されるウエスコポンプとが、第１および第２被覆部のうち第１被覆部が前記ウエスコポンプ側に配置されるようにして同軸に並ぶとともに金属製のユニットケース内に収容され、前記ユニットケースの両端部に半径方向内方に屈曲して前記ウエスコポンプのポンプケースおよび第２被覆部に係合するかしめ加工部がそれぞれ形成され、前記ボビンのうち前記ウエスコポンプとは反対側の端部に、前記ウエスコポンプから吐出される液体を吐出するための円筒状の吐出管を一体に有する第２被覆部を貫通する３つの給電端子が支持され、それらの給電端子に前記コイルが電気的に接続される液体供給装置に関する。
【背景技術】
【０００２】
ブラシレスモータと、そのブラシレスモータで駆動されるウエスコポンプとが円筒状の金属製のユニットケース内に同軸に並んで内蔵され、ブラシレスモータのコイルが電気的に接続される３つの給電端子が、ウエスコポンプとは反対側でボビンに支持されるようにした液体供給装置としての燃料供給装置が、特許文献１で知られている。
【先行技術文献】
【特許文献】
【０００３】
【特許文献１】特開２０１３−７０５７７号公報
【発明の概要】
【発明が解決しようとする課題】
【０００４】
ところで、ウエスコポンプとは反対側でボビンを被覆する樹脂製の被覆部には、ブラシレスモータにおけるロータの回転軸を支持する軸支持部が設けられるとともに、ウエスコポンプから吐出される燃料を吐出するための吐出管が一体に設けられており、給電端子は、前記軸支持部および吐出管との干渉を避けるべくボビンの外周部に支持せざるを得ない。しかるに上記特許文献１で開示される給電端子は、その全体がブラシレスモータの軸線に沿う方向に延びるように形成されており、ブラシレスモータを収容する円筒状のユニットケースに近接して給電端子が配置されることになるので、コイルの給電端子への電気的接続部の前記ユニットケースの端部のかしめ加工部との干渉を避けるために、ユニットケースを長く延ばす必要が生じる。言い換えると、軸線に沿う方向でのブラシレスモータひいては液体供給装置の小型化が困難となる。
【０００５】
本発明は、かかる事情に鑑みてなされたものであり、ブラシレスモータおよびウエスコポンプを収容する金属製のユニットケースの軸方向長さを短縮し得るようにした液体供給装置を提供することを目的とする。
【課題を解決するための手段】
【０００６】
上記目的を達成するために、本発明は、ステータコアにボビンを介してコイルが巻装されて成るステータを有するとともに前記ステータの軸方向両端部が樹脂製の第１および第２被覆部で覆われる３相のブラシレスモータと、このブラシレスモータで駆動されるウエスコポンプとが、第１および第２被覆部のうち第１被覆部が前記ウエスコポンプ側に配置されるようにして同軸に並ぶとともに金属製のユニットケース内に収容され、前記ユニットケースの両端部に半径方向内方に屈曲して前記ウエスコポンプのポンプケースおよび第２被覆部に係合するかしめ加工部がそれぞれ形成され、前記ボビンのうち前記ウエスコポンプとは反対側の端部に、前記ウエスコポンプから吐出される液体を吐出するための円筒状の吐出管を一体に有する第２被覆部を貫通する３つの給電端子が支持され、それらの給電端子に前記コイルが電気的に接続される液体供給装置において、前記給電端子が、前記ブラシレスモータの軸線に沿う方向に延びて前記ボビンに嵌入、固定される嵌入基板部と、該嵌入基板部からその延長方向に延出される延出板部と、該延出板部の前記嵌入基板部とは反対側の端部に第１の屈曲部を介して連なるとともに前記ユニットケースから離隔する側に傾斜する傾斜板部と、この傾斜板部の前記延出板部とは反対側の端部に第２の屈曲部を介して連なって前記嵌入基板部および前記延出板部と平行に延びるとともに前記傾斜板部とは反対側の端部が第２被覆部から外部に突出する端子板部とを一体に有し、前記延出板部の前記傾斜板部側の端部に、前記ボビンの第２被覆部側の端面との間に第１巻線誘導凹部を形成する一対の第１ガイド突起が突設され、前記コイルの電源線が、一対の第１巻線誘導凹部のいずれかに引っかけられて前記ブラシレスモータの半径方向で前記傾斜板部の内側に延出され、前記端子板部に電気的に接続されることを第１の特徴とする。
【０００７】
また本発明は、第１の特徴の構成に加えて、前記傾斜板部寄りで前記端子板部に、一対の第２ガイド突起と、前記電源線を巻き締め可能な第２巻線誘導凹部を第２ガイド突起との間に形成するようにしつつ前記傾斜板部とは反対側で第２ガイド突起との間に所定の間隔をあけた一対の第３ガイド突起とが突設されることを第２の特徴とする。
【０００８】
本発明は、第２の特徴の構成に加えて、第２および第３ガイド突起の相互に対向する面のいずれかに、第２巻線誘導凹部がその内奥に向かうにつれて狭まるようにした傾斜面が形成されることを第３の特徴とする。
【０００９】
本発明は、第２または第３の特徴の構成に加えて、前記延出板部側を閉じた略Ｕ字状の切り込み部が前記傾斜板部から前記端子板部にかけて形成され、前記電源線を引っかけた状態で前記端子板部に電気的に接続するためのフック部が、前記切り込み部から前記ブラシレスモータの半径方向に沿う内方に向かって起立するようにして前記端子板部に形成されることを第４の特徴とする。
【００１０】
本発明は、第４の特徴の構成に加えて、前記コイルの始端電源線が、一対の第２巻線誘導凹部の一方内で前記端子板部の幅方向一側に配置される部分を始端としつつ前記端子板部に１回転以上巻き付けて絡げられる始端巻き締め部と、この始端巻き締め部から前記フック部に引っかけられた上で前記端子板部の幅方向他側まで延在した状態で前記端子板部に電着される始端固着部と、前記ブラシレスモータの半径方向で前記始端固着部から前記延出板部の内方を通って前記ステータコア側に延出されるとともにその途中では前記端子板部の前記幅方向一側の第２ガイド突起および前記端子板部の前記幅方向一側縁の協働で構成される谷状部を経由する始端導出部を有することを第５の特徴とする。
【００１１】
本発明は、第４または第５の特徴の構成に加えて、前記コイルの終端電源線が、前記ボビンのうち第２被覆部で覆われる部分の周壁に沿うとともに前記ブラシレスモータの半径方向で前記延出板部の外側を通るように配線される終端渡り線部と、この終端渡り線部から前記一対の第１巻線誘導凹部の一方に引っかけられて前記ブラシレスモータの半径方向で前記延出板部の内方に延出される終端導入部と、この終端導入部から前記ブラシレスモータの半径方向で前記傾斜板部の内側を前記フック部まで延出されるとともに該フック部に引っかけられた状態で前記端子板部に電着される終端固着部とを有することを第６の特徴とする。
【００１２】
さらに本発明は、第４〜第６の特徴の構成のいずれかに加えて、前記コイルがデルタ結線方式で前記ボビンに巻装され、前記コイルの中間電源線が、前記ボビンのうち第２被覆部で覆われる部分の周壁に沿って配線される中間渡り線部と、この中間渡り線部から一対の第１巻線誘導凹部のいずれかに引っかけられて前記ブラシレスモータの半径方向で前記傾斜板部の内方に延出される中間導入部と、この中間導入部から前記ブラシレスモータの半径方向で前記傾斜板部の内側を前記フック部まで延出されるとともに該フック部に引っかけられた状態で前記端子板部に電着される中間固定部と、この中間固定部から一対の前記第２巻線誘導凹部を経由して前記ステータコア側に延出される中間導出部とを有することを第７の特徴とする。
【発明の効果】
【００１３】
本発明の第１の特徴によれば、給電端子は、ボビンに嵌入、固定される嵌入基板部と、該嵌入基板部の延長方向に延出される延出板部と、ユニットケースから離隔する側に傾斜して延出板部に連なる傾斜板部と、嵌入基板部および延出板部と平行に延びて傾斜板部に連設される端子板部とを有し、延出板部に突設される一対の第１ガイド突起およびボビン間に第１巻線誘導凹部が形成され、コイルの電源線が、第１巻線誘導凹部に引っかけられてブラシレスモータの半径方向で傾斜板部の内側に延出され端子板部に電気的に接続されるので、ブラシレスモータの半径方向内方に屈曲するようにしてユニットケースの端部に形成されるかしめ加工部をボビン側により近づけても、給電端子へのコイルの電気的接続部のかしめ加工部との干渉を回避することが可能であり、ユニットケースの軸方向長さを短縮してブラシレスモータひいては液体供給装置の軸方向小型化が可能となる。
【００１４】
また本発明の第２の特徴によれば、端子板部の傾斜板部寄りの部分に、一対の第２ガイド突起と、第２ガイド突起との間に所定の間隔をあけた一対の第３ガイド突起とが突設され、第２および第３ガイド突起間の第２巻線誘導凹部に電源線が巻き締められるので、電源線の端子板部に対する巻き締めが容易となる。
【００１５】
本発明の第３の特徴によれば、第２巻線誘導凹部を相互間に形成する第２および第３ガイド突起の相互に対向する面のいずれかに傾斜面が形成され、第２巻線誘導凹部が内奥に向くにつれて狭められるので、電源線を第２巻線誘導凹部の内奥に寄せて位置決めすることが可能であり、巻き締め部が弛まないようにすることができる。
【００１６】
本発明の第４の特徴によれば、傾斜板部から前記端子板部にかけて略Ｕ字状の切り込み部が形成されるので、この切り込み部の延出板部側の閉塞端を工具で押すことで、嵌入基板部をブラシレスモータの軸線に沿う方向で真っ直ぐにボビンに嵌入、固定することができ、給電端子のボビンへの組み付け作業が容易となる。しかも電源線を引っかけて端子板部に電気的に接続するためのフック部が切り込み部からブラシレスモータの半径方向に沿う内方に向かって起立するので、切欠き部を利用してフック部を容易に形成することができる。
【００１７】
本発明の第５の特徴によれば、コイルの始端電源線が、始端巻き締め部と、始端固着部と、始端導出部とを有し、始端巻き締め部では始端電源線が第２巻線誘導凹部内で１回転以上巻き付けて絡げられ、始端固着部では始端電源線がフック部に引っかけられた上で端子板部に電着され、始端導出部では、ブラシレスモータの半径方向で始端固着部から延出板部の内方を通ってステータコア側に始端電源線が延出され、始端導出部の中間部が、端子板部の幅方向一側の第２ガイド突起および端子板部の幅方向一側縁が協働して構成する谷状部を経由するので、始端電源線がユニットケースから半径方向内方に離隔した部分で給電端子に巻き締められることになり、ユニットケースと干渉することを回避しつつ給電端子に弛まないように始端電源線を巻き付けて確実に固着することができ、始端電源線の給電端子への組み付けおよび電着作業が容易となる。
【００１８】
本発明の第６の特徴によれば、コイルの終端電源線が、終端渡り線部と、終端導入部と、終端固着部とを有し、終端渡り線部では終端電源線がボビンのうち第２被覆部で覆われる部分の周壁に沿うとともにブラシレスモータの半径方向で延出板部の外側を通り、終端導入部では終端電源線が終端渡り線部から第１巻線誘導凹部に引っかけられてブラシレスモータの半径方向で前記延出板部の内方に延出され、終端固着部では、終端電源線が終端導入部から前記ブラシレスモータの半径方向で傾斜板部の内側をフック部まで延出されるとともにフック部に引っかけられた状態で端子板部に電着されるので、終端電源線がユニットケースから半径方向内方に離隔した部分で給電端子に巻き締められることになり、ユニットケースと干渉することを回避しつつ給電端子に弛まないように終端電源線を巻き付けて確実に固着することができ、終端電源線の給電端子への組み付けおよび電着作業が容易となる。
【００１９】
さらに本発明の第７の特徴によれば、デルタ結線方式でボビンに巻装されるコイルの中間電源線が、中間渡り線部と、中間導入部と、中間固定部と、中間導出部とを有し、中間渡り線部では中間電源線がボビンのうち第２被覆部で覆われる部分の周壁に沿って配線され、中間導入部では中間電源線が一対の第１巻線誘導凹部のいずれかに引っかけられてブラシレスモータの半径方向で傾斜板部の内方に延出され、中間固定部では中間電源線がブラシレスモータの半径方向で傾斜板部の内側をフック部まで延出されるとともに該フック部に引っかけられた状態で端子板部に電着され、中間導出部では中間電源線が一対の第２巻線誘導凹部を経由してステータコア側に延出されるので、中間電源線がユニットケースから半径方向内方に離隔した部分で給電端子に巻き付けられることになり、ユニットケースと干渉することを回避しつつ中間電源線を給電端子に弛まないように巻き付けて確実に固着することが可能となり、中間電源線の給電端子への組み付けおよび電着作業が容易となる。
【図面の簡単な説明】
【００２０】
【図１】燃料供給装置の縦断面図である。
【図２】図１の２−２線断面図である。
【図３】図１の３矢視方向から見た給電端子の正面図である。
【図４】デルタ結線方式のコイルの配線図である。
【図５】被覆部を省略した状態で給電端子への始端電源線および終端電源線の接続部を給電端子の外側から見た斜視図（Ａ）および内側から見た斜視図（Ｂ）である。
【図６】被覆部を省略した状態で給電端子への中間電源線の接続部を給電端子の外側から見た斜視図（Ａ）および内側から見た斜視図（Ｂ）である。
【発明を実施するための形態】
【００２１】
本発明の実施の形態を添付の図１〜図６を参照しながら説明すると、先ず図１において、この液体供給装置は、たとえば車載エンジンに燃料を供給するための燃料供給装置であり、ウエスコポンプ５と、該ウエスコポンプ５を駆動する３相のブラシレスモータ６とが、中空の円筒状である共通のユニットケース７に内蔵、結合されて成る。
【００２２】
前記ウエスコポンプ５は、放射状の多数の溝８を外周に有するインペラ９と、そのインペラ９の外周を臨ませるようにして円弧状に延びるポンプ室１０を有して前記インペラ９を回転可能に収納するポンプケース１１とを備える。前記ポンプケース１１は、外側ケース半体１２と、内側ケース半体１３とで分割構成されており、外側ケース半体１２および内側ケース半体１３間に前記インペラ９が介装されるとともに前記ポンプ室１０が画成される。
【００２３】
前記ポンプケース１１は、軸方向外方に臨んで前記ユニットケース７の内面に形成される環状段部７ａと、前記ユニットケース７の一端部に形成される第１のかしめ加工部７ｂとで挟持されるようにして、前記ユニットケース７の一端部に収容される。
【００２４】
図２を併せて参照して、前記ブラシレスモータ６は、積層された複数枚の磁性鋼板が相互にかしめ結合されて成るステータコア１５ならびにボビン１７を介して前記ステータコア１５に巻装されるコイル１６とで構成されるステータ１８と、そのステータ１８内に配置されるロータ１９とを有する。
【００２５】
前記ステータコア１５は、複数たとえば第１〜第６の歯部１５ａ，１５ｂ，１５ｃ，１５ｄ，１５ｅ，１５ｆが環状ヨーク部１５ｇの内周に半径方向内方に突出するように設けられて成る。
【００２６】
また前記ステータ１８の軸方向両端部は樹脂製の第１および第２被覆部２１，２２で覆われており、前記ブラシレスモータ６は、前記ウエスコポンプ５の前記ポンプケース１１と、第１被覆部２１との間に円板状のスペーサ２３を介在させて前記ユニットケース７に挿入され、前記ユニットケース７の他端部に形成される第２のかしめ加工部７ｃを第２被覆部２２に係合することで、前記ブラシレスモータ６が前記ユニットケース７に内蔵される。なおポンプケース１１と、第１被覆部２１との間に前記スペーサ２３を介在させず、前記ユニットケース７の前記環状段部７ａもしくは前記ポンプケース１１に第１被覆部２１を直接当接させてユニットケース７内でブラシレスモータ６を位置決めするようにしてもよい。
【００２７】
前記ロータ１９は周方向に複数の磁極に着磁される永久磁石から成り、このロータ１９に、該ロータ１９を貫通する回転軸２５が同軸に設けられる。前記回転軸２５の一端部は、前記スペーサ２３を貫通し、前記ポンプケース１１との間に第１の滑り軸受２６を介在させて前記ポンプケース１１内に突入される。前記ポンプケース１１内で前記回転軸２５にインペラ９が相対回転不能に取付けられるものであり、この実施の形態では、前記インペラ９の中央部には非円形の取付け孔２７が設けられ、前記インペラ９に対応する部分で前記回転軸２５の一端部には、前記取付け孔２７の断面形状に対応した断面形状の非円形部２５ａが設けられる。前記非円形部２５ａが前記取付け孔２７に挿入されることで、前記インペラ９が前記回転軸２５の多少の傾きを許す程度の遊びを持って前記回転軸２５に相対回転不能に取付けられ、前記ポンプケース１１の前記外側ケース半体１２および前記内側ケース半体１３で前記インペラ９の軸方向に沿う移動が阻止される。
【００２８】
前記ポンプケース１１の前記内側ケース半体１３には、前記回転軸２５を同軸に囲繞する円筒状の軸受ハウジング１３ａが一体に設けられており、その軸受ハウジング１３ａおよび前記回転軸２５間に、第１の滑り軸受２６が介装される。また前記回転軸２５の他端部は、第２被覆部２２に第２の滑り軸受２８を介して回転自在に支持される。
【００２９】
前記ポンプケース１１における前記外側ケース半体１２には、前記ポンプ室１０の周方向一端部に通じる吸込ポート２９が形成され、前記内側ケース半体１３には、前記ポンプ室１０の周方向他端部に通じる吐出ポート３０が形成される。しかも外側ケース半体１２には、前記吸込ポート２９に直接連通する円筒状の吸込管１２ａが外向きに一体に突設されるととともに、ポンプケース１１内でのポンプ作用に伴って生じた気泡を排出するための脱気孔３１が形成される。
【００３０】
前記ブラシレスモータ６における前記ロータ１９および前記ステータ１８間には、前記吐出ポートに通じる通路３２が形成され、第２被覆部２２には、前記通路３２に通じる燃料出口室３３が形成される。しかも第２被覆部２２には、ポンプ作動時に高圧燃料を吐出するための円筒状の吐出管２２ａが一体に突設され、その吐出管２２ａ内には、前記燃料出口室３３から前記吐出管２２ａの先端の燃料吐出口３４側へのみ燃料の流動を許容する逆流防止用のチェック弁３５が収納される。
【００３１】
ところで前記コイル１６に連なる第１、第２および第３の給電端子２０Ａ，２０Ｂ，２０Ｃが前記ボビン１７の前記ウエスコポンプ５とは反対側の端部に支持される。
【００３２】
図３において、第１の給電端子２０Ａは、前記ブラシレスモータ６の軸線に沿う方向に延びて前記ボビン７に嵌入、固定される嵌入基板部３６と、該嵌入基板部３６からその延長方向に延出される延出板部３７と、該延出板部３７の前記嵌入基板部３６とは反対側の端部に第１の屈曲部３８を介して連なるとともに前記ユニットケース７から離隔する側に傾斜する傾斜板部３９と、この傾斜板部３９の前記延出板部３７とは反対側の端部に第２の屈曲部４０を介して連なって前記嵌入基板部３６および前記延出板部３７と平行に延びるとともに前記傾斜板部３９とは反対側の端部が第２被覆部２２から外部に突出する端子板部４１とを一体に有するように形成される。
【００３３】
前記延出板部３７の前記傾斜板部３９側の端部には、前記ボビン７の第２被覆部２２側の端面との間に第１巻線誘導凹部４２，４３を形成する一対の第１ガイド突起４４，４５が突設され、前記傾斜板部３９寄りで前記端子板部４１に、一対の第２ガイド突起４６，４７と、第２巻線誘導凹部４８，４９を第２ガイド突起４６，４７との間に形成するようにしつつ前記傾斜板部３９とは反対側で第２ガイド突起４６，４７との間に所定の間隔（線材２本分の間隔）をあけた一対の第３ガイド突起５０，５１とが突設される。また第２ガイド突起４６，４７および第３ガイド突起５０，５１の相互に対向する面のいずれか、この実施の形態では、前記端子板部４１の幅方向一側では第３ガイド突起５０の第２ガイド突起４６に対向する面に傾斜面５２が形成され、前記端子板部４１の幅方向他側では第２ガイド突起４７の第３ガイド突起５１に対向する面に傾斜面５３が形成される。
【００３４】
前記傾斜板部３９から前記端子板部４１にかけては、前記延出板部３７側を閉じた略Ｕ字状の切り込み部５４が形成され、前記コイル１６の電源線６８，６９（図４参照）を引っかけた状態で前記端子板部４１に電気的に接続するためのフック部５５が、前記切り込み部５４から前記ブラシレスモータ６の半径方向に沿う内方に向かって起立するようにして前記端子板部４１に形成される。
【００３５】
第２および第３の給電端子２０Ｂ，２０Ｃも第１の給電端子２０Ａと同一形状を有するように形成されており、以下の説明では、第１の給電端子２０Ａに対応する部分に同一の参照符号を付して説明する。
【００３６】
図２に注目して、前記ステータコア１５には、３相（Ｕ相、Ｖ相、Ｗ相）に分かれた一組の前記コイル１６がボビン１７を介して巻装される。このコイル１６は、デルタ結線方式で結線されるものであり、たとえば第１および第４の歯部１５ａ，１５ｄに巻き掛けられる第１および第４の巻線部５８，６１がＵ相に対応し、第２および第５の歯部１５ｂ，１５ｅに巻き掛けられる第２および第５の巻線部５９，６２がＶ相に対応し、第３および第６の歯部１５ｃ，１５ｆに巻き掛けられる第３および第６の巻線部６０，６３がＷ相に対応する。
【００３７】
図４において、デルタ結線方式で結線される前記コイル１６の第１および第４の巻線部５８，６１は歯間渡り線６４を介して直列に接続され、第２および第５の巻線部５９，６２は歯間渡り線６５を介して直列に接続され、第３および第６の巻線部６０，６３は歯間渡り線６６を介して直列に接続される。
【００３８】
第１〜第３の給電端子２０Ａ，２０Ｂ，２０Ｃは、前記ボビン１７の外周部の周方向に間隔をあけた３箇所に設けられて前記ボビン１７の周方向に沿って長手方向が延在される取付け凹部６７に前記嵌入基板部３６を嵌入、固定することで前記ボビン１７に取付けられるものであり、第１の給電端子２０Ａが、第１の巻線部５８に対応した位置に配置され、第２の給電端子２０Ｂは第２の巻線部５９に対応した位置に配置され、第３の給電端子２０Ｃは第３の巻線部６０に対応した位置に配置される。
【００３９】
前記コイル１６は、第１の巻線部５８から延出されて第１の給電端子２０Ａに電気的に接続される始端電源線６８と、第６の巻線部６３から延出されて第１の給電端子２０Ａに電気的に接続される終端電源線６９と、第２の巻線部５９および第４の巻線部６１を第２の給電端子２０Ｂに電気的に接続する第１の中間電源線７０と、第３の巻線部６０および第５の巻線部６２を第３の給電端子２０Ｃに電気的に接続する第２の中間電源線７１とを備える。
【００４０】
図５において、前記始端電源線６８は、第１の給電端子２０Ａにおいて、一対の第２巻線誘導凹部４８，４９の一方である第２巻線誘導凹部４８内で前記端子板部４１の幅方向一側に配置される部分を始端７３ａとしつつ前記端子板部４１に１回転以上巻き付けて絡げられる始端巻き締め部７３と、この始端巻き締め部７３から前記フック部５５に引っかけられた上で前記端子板部４１の幅方向他側まで延在した状態で前記端子板部４１に電着される始端固着部７４と、前記ブラシレスモータ６の半径方向で前記始端固着部７４から前記延出板部３７の内方を通って前記ステータコア１５側に延出されるとともにその途中では前記端子板部４１の前記幅方向一側の第２ガイド突起４６および前記端子板部４１の前記幅方向一側縁が協働して構成する谷状部７６を経由する始端導出部７５を有し、その始端導出部７５が第１の巻線部５８に連なる。
【００４１】
また前記終端電源線６９は、第６の巻線部６３から延出されて前記ボビン１７のうち第２被覆部２２で覆われる部分の周壁に沿うとともに前記ブラシレスモータ６の半径方向で第１の給電端子２０Ａの前記延出板部３７の外側を通る終端渡り線部７８と、この終端渡り線部７８から前記一対の第１巻線誘導凹部４２，４３の一方（この実施の形態では第１巻線誘導凹部４３）に引っかけられて前記ブラシレスモータ６の半径方向で前記延出板部３７の内方に延出される終端導入部７９と、この終端導入部７９から前記ブラシレスモータ６の半径方向で前記傾斜板部３９の内側を前記フック部５５まで延出されるとともに該フック部５５に引っかけられた状態で前記端子板部４１に電着される終端固着部８０とを有する。
【００４２】
しかも前記始端電源線６８の前記始端導出部７５が、前記ブラシレスモータ６の半径方向で前記延出板部３７の内方を通るとともに前記端子板部４１の前記幅方向一側の第２ガイド突起４６および前記端子板部４１の幅方向一側縁の協働で構成される谷状部７６を経由するのに対して、前記終端電源線６９の前記終端導入部７９は、前記一対の第１巻線誘導凹部４２，４３のうち前記延出板部３７の幅方向他側の第１巻線誘導凹部４３に引っかけられて前記ブラシレスモータ６の半径方向で前記延出板部３７の内方に延出されており、このようにすることで、前記始端電源線６８および前記終端電源線６９は、第１の給電端子２０Ａにおいて前記始端固着部７４および前記終端固着部８０以外の部分で重なることはなく、第１の給電端子２０Ａでの前記始端電源線６８および前記終端電源線６９の巻き太りが生じることはなく、これによって燃料供給装置の小型化に寄与することができる。
【００４３】
図６において、第２の給電端子２０Ｂに電気的に接続される第１の中間電源線７０は、第４の巻線部６１から延出されるとともに前記ボビン１７のうち第２被覆部２２で覆われる部分の周壁に沿って配線される中間渡り線部８２と、この中間渡り線部８２から一対の第１巻線誘導凹部４２，４３のいずれか（この実施の形態では第１巻線誘導凹部４２）に引っかけられて前記ブラシレスモータ６の半径方向で前記傾斜板部３９の内方に延出される中間導入部８３と、この中間導入部８３から前記ブラシレスモータ６の半径方向で前記傾斜板部３９の内側を前記フック部５５まで延出されるとともに該フック部５５に引っかけられた状態で前記端子板部４１に電着される中間固定部８４と、この中間固定部８４から一対の前記第２巻線誘導凹部４８，４９を経由して前記ステータコア１５側に延出される中間導出部８５とを有し、この中間導出部８５が第２の巻線部５９に連なる。
【００４４】
第２の中間電源線７１も、第１の中間電線７０と同様にして第３の給電端子２０Ｃに電気的に接続されるものであり、対応する部分に同一の参照符号を付して図６に図示するのみとし、詳細な説明は省略する。
【００４５】
次にこの実施の形態の作用について説明すると、ステータ１８の軸方向両端部が樹脂製の第１および第２被覆部２１，２２で覆われる３相のブラシレスモータ６と、ウエスコポンプ５とが、第１被覆部２１が前記ウエスコポンプ５側に配置されるようにして同軸に並ぶとともに金属製のユニットケース７内に収容され、ユニットケース７の両端部に形成されて半径方向内方に屈曲するかしめ加工部７ｂ，７ｃがウエスコポンプ５のポンプケース１１および第２被覆部２２に係合され、第２被覆部２２を貫通する第１、第２および第３の給電端子２０Ａ，２０Ｂ，２０Ｃがボビン１７に支持され、それらの給電端子２０Ａ〜２０Ｃにブラシレスモータ６のコイル１６が電気的に接続されるのであるが、第１〜第３の給電端子２０Ａ〜２０Ｃが、ブラシレスモータ６の軸線に沿う方向に延びてボビン１７に嵌入、固定される嵌入基板部３６と、該嵌入基板部３６からその延長方向に延出される延出板部３７と、該延出板部３７の前記嵌入基板部３６とは反対側の端部に第１の屈曲部３８を介して連なるとともに前記ユニットケース７から離隔する側に傾斜する傾斜板部３９と、この傾斜板部３９の前記延出板部３７とは反対側の端部に第２の屈曲部４０を介して連なって前記嵌入基板部３６および前記延出板部３７と平行に延びるとともに前記傾斜板部３９とは反対側の端部が第２被覆部２２から外部に突出する端子板部４１とを一体に有し、前記延出板部３７の前記傾斜板部３９側の端部に、前記ボビン１７の第２被覆部２２側の端面との間に第１巻線誘導凹部４２，４３を形成する一対の第１ガイド突起４４，４５が突設され、コイル１６の電源線６８，６９，７０，７１が、一対の第１巻線誘導凹部４２，４３のいずれかに引っかけられて前記ブラシレスモータ６の半径方向で前記傾斜板部３９の内側に延出され、前記端子板部４１に電気的に接続される。
【００４６】
したがってブラシレスモータ６の半径方向内方に屈曲するようにしてユニットケース７の端部に形成されるかしめ加工部７ｃをボビン１７側により近づけても、第１〜第３の給電端子２０Ａ〜２０Ｃへのコイル１６の電気的接続部のかしめ加工部７ｃとの干渉を回避することが可能であり、ユニットケース７の軸方向長さを短縮してブラシレスモータ６ひいては液体供給装置の軸方向小型化が可能となる。
【００４７】
また前記傾斜板部３９寄りで前記端子板部４１に、一対の第２ガイド突起４６，４７と、前記コイル１６の電源線６８，６９，７０，７１を巻き締め可能な第２巻線誘導凹部４８，４９を第２ガイド突起４６，４７との間に形成するようにしつつ前記傾斜板部３９とは反対側で第２ガイド突起４６，４７との間に所定の間隔をあけた一対の第３ガイド突起５０，５１とが突設されるので、第２ガイド突起４６，４７および第３ガイド突起５０，５１間の第２巻線誘導凹部４８，４９に前記電源線６８〜７１が巻き締められるので、電源線６８〜７１の端子板部４１に対する巻き締めが容易となる。
【００４８】
また第２ガイド突起４６，４７および第３ガイド突起５０，５１の相互に対向する面のいずれかに、第２巻線誘導凹部４８，４９がその内奥に向かうにつれて狭まるようにした傾斜面５２，５３が形成されるので、電源線６８〜７１を第２巻線誘導凹部４８，４９の内奥に寄せて位置決めすることが可能であり、巻き締め部が弛まないようにすることができる。
【００４９】
また前記延出板部３７側を閉じた略Ｕ字状の切り込み部５４が前記傾斜板部３９から前記端子板部４１にかけて形成されるので、この切り込み部５４の延出板部３７側の閉塞端を工具で押すことで、嵌入基板部３６をブラシレスモータ６の軸線に沿う方向で真っ直ぐにボビン１７に嵌入、固定することができ、第１〜第３の給電端子２０Ａ〜２０Ｃのボビン１７への組み付け作業が容易となる。しかも前記電源線６８〜７１を引っかけた状態で前記端子板部４１に電気的に接続するためのフック部５５が、前記切り込み部５４から前記ブラシレスモータ６の半径方向に沿う内方に向かって起立するようにして前記端子板部４１に形成されるので、切欠き部５４を利用してフック部５５を容易に形成することができる。
【００５０】
またコイル１６の始端電源線６８が、第１の給電端子２０Ａにおいて、一対の第２巻線誘導凹部４８，４９の一方である第２巻線誘導凹部４８内で前記端子板部４１の幅方向一側に配置される部分を始端７３ａとしつつ前記端子板部４１に１回転以上巻き付けて絡げられる始端巻き締め部７３と、この始端巻き締め部７３から前記フック部５５に引っかけられた上で前記端子板部４１の幅方向他側まで延在した状態で前記端子板部４１に電着される始端固着部７４と、前記ブラシレスモータ６の半径方向で前記始端固着部７４から前記延出板部３７の内方を通って前記ステータコア１５側に延出されるとともにその途中では前記端子板部４１の前記幅方向一側の第２ガイド突起４６および前記端子板部４１の前記幅方向一側縁の協働で構成される谷状部７６を経由する始端導出部７５を有するので、始端電源線６８がユニットケース７から半径方向内方に離隔した部分で第１の給電端子２０Ａに巻き締められることになり、ユニットケース７と干渉することを回避しつつ第１の給電端子２０Ａに弛まないように始端電源線６８を巻き付けて確実に固着することができ、第１の給電端子２０Ａへの始端電源線６８の組み付けおよび電着作業が容易となる。
【００５１】
また前記コイル１６の終端電源線６９は、前記始端電源線６８と共通の第１の給電端子２０Ａに電気的に接続されるものであり、第６の巻線部６３から延出されて前記ボビン１７のうち第２被覆部２２で覆われる部分の周壁に沿うとともに前記ブラシレスモータ６の半径方向で第１の給電端子２０Ａの前記延出板部３７の外側を通る終端渡り線部７８と、この終端渡り線部７８から前記一対の第１巻線誘導凹部４２，４３の一方（この実施の形態では第１巻線誘導凹部４３）に引っかけられて前記ブラシレスモータ６の半径方向で前記延出板部３７の内方に延出される終端導入部７９と、この終端導入部７９から前記ブラシレスモータ６の半径方向で前記傾斜板部３９の内側を前記フック部５５まで延出されるとともに該フック部５５に引っかけられた状態で前記端子板部４１に電着される終端固着部８０とを有するので、終端電源線６９がユニットケース７から半径方向内方に離隔した部分で第１の給電端子２０Ａに巻き締められることになり、ユニットケース７と干渉することを回避しつつ第１の給電端子２０Ａに弛まないように終端電源線６９を巻き付けて確実に固着することができ、第１の給電端子２０Ａへの終端電源線６９の組み付けおよび電着作業が容易となる。
【００５２】
さらに前記コイル１６の第１および第２の中間電源線７０，７１は、第１および第２の給電端子２０Ｂ，２０Ｃに個別に電気的に接続されるものであり、前記ボビン１７のうち第２被覆部２２で覆われる部分の周壁に沿って配線される中間渡り線部８２と、この中間渡り線部８２から一対の第１巻線誘導凹部４２，４３のいずれか（この実施の形態では第１巻線誘導凹部４２）に引っかけられて前記ブラシレスモータ６の半径方向で前記傾斜板部３９の内方に延出される中間導入部８３と、この中間導入部８３から前記ブラシレスモータ６の半径方向で前記傾斜板部３９の内側を前記フック部５５まで延出されるとともに該フック部５５に引っかけられた状態で前記端子板部４１に電着される中間固定部８４と、この中間固定部８４から一対の前記第２巻線誘導凹部４８，４９を経由して前記ステータコア１５側に延出される中間導出部８５とを有するので、第１および第２の中間電源線７０，７１はユニットケース７から半径方向内方に離隔した部分で第２および第３の給電端子２０Ｂ，２０Ｃに巻き付けられることになり、ユニットケース７と干渉することを回避しつつ第１および第２の中間電源線７０，７１を第１および第２の給電端子２０Ｂ，２０Ｃに弛まないように巻き付けて確実に固着することが可能となり、第１および第２の給電端子２０Ｂ，２０への第１および第２の中間電源線７０，７１の組み付けおよび電着作業が容易となる。
【００５３】
以上、本発明の実施の形態について説明したが、本発明は上記実施の形態に限定されるものではなく、特許請求の範囲に記載された本発明を逸脱することなく種々の設計変更を行うことが可能である。
【符号の説明】
【００５４】
５・・・ウエスコポンプ
６・・・ブラシレスモータ
７・・・ユニットケース
７ｂ，７ｃ・・・かしめ加工部
１１・・・ポンプケース
１５・・・ステータコア
１６・・・コイル
１７・・・ボビン
１８・・・ステータ
２０Ａ，２０Ｂ，２０Ｃ・・・給電端子
２１・・・第１被覆部
２２・・・第２被覆部
２２ａ・・・吐出管部
３６・・・嵌入基板部
３７・・・延出板部
３８・・・第１の屈曲部
３９・・・傾斜板部
４０・・・第２の屈曲部
４１・・・端子板部
４２，４３・・・第１巻線誘導凹部
４４，４５・・・第１ガイド突起
４６，４７・・・第２ガイド突起
４８，４９・・・第２巻線誘導凹部
５０，５１・・・第３ガイド突起
５２，５３・・・傾斜面
５４・・・切り込み部
５５・・・フック部
６８・・・始端電源線
６９・・・終端電源線
７０，７１・・・中間電源線
７３・・・始端巻き締め部
７３ａ・・・始端
７４・・・始端固着部
７５・・・始端導出部
７６・・・谷状部
７８・・・終端渡り線部
７９・・・終端導入部
８０・・・終端固着部
８２・・・中間渡り線部
８３・・・中間導入部
８４・・・中間固定部
８５・・・中間導出部
【図１】
2017163697.tif 000003
【図２】
2017163697.tif 000004
【図３】
2017163697.tif 000005
【図４】
2017163697.tif 000006
【図５】
2017163697.tif 000007
【図６】
2017163697.tif 000008